(57)【要約】【課題】  異なる光源から出射される２つの光を、同一の配光特性で、観察対象物に向けて照射する。【解決手段】  光源装置２０は、自家蛍光を励起させるための励起光Ｌ２を出射する励起光光源４１と、白色光Ｌ１を出射する白色光光源３１とを備える。白色光Ｌ１と、励起光Ｌ２は、それぞれの光路がレンズの光軸と重なり合わずかつ互いにも重ならないように、集光レンズ５０に入射する。励起光Ｌ２と白色光Ｌ１が集光レンズ５０に入射するとき、励起光Ｌ２の光束中心と、白色光Ｌ１の光束中心は光軸から等距離に位置する。集光レンズ５０に集光された励起光および可視光は、ガラスロッド５１を通ってライトガイド１６に入射する。【選択図】          図２
2006043248.tif 000002
【特許請求の範囲】
【請求項１】
自家蛍光を励起させるための励起光を出射する励起光光源と、
可視光を出射する可視光光源と、
前記励起光および前記可視光それぞれの光束中心が、異なる場所に入射される集光レンズ群と、
前記集光レンズ群によって前記励起光および可視光が入射されるライトガイドとを備え、
前記集光レンズ群は、前記励起光と前記可視光とを前記ライトガイドの同一位置に集光させることを特徴とする光源装置。
【請求項２】
前記励起光と前記可視光のそれぞれの光束中心は、前記集光レンズ群の光軸から等距離だけ離れた位置に入射されることを特徴とする請求項１に記載の光源装置。
【請求項３】
前記励起光と前記可視光は、それぞれの光路が、レンズの光軸と重なり合わずかつ互いにも重ならないように、前記集光レンズ群に入射されることを特徴とする請求項１または２のいずれかに記載の光源装置。
【請求項４】
前記集光レンズ群は、前記励起光および可視光を前記ライトガイドの端面に集光させることを特徴とする請求項１ないし３のいずれかに記載の光源装置。
【請求項５】
前記集光レンズ群と前記ライトガイドの間に配設される筒状反射体を備え、前記集光レンズ群は、励起光および可視光を前記筒状反射体の端面に集光させ、前記筒状反射体を介して前記ライトガイドに入射させることを特徴とする請求項１ないし３のいずれかに記載の光源装置。
【請求項６】
前記励起光と前記可視光のそれぞれの光束中心は、前記集光レンズ群の光軸から等距離だけ離れた位置に入射され、以下の条件式（１）を満たすことを特徴とする請求項１ないし５のいずれかに記載の光源装置。
０．１８＜ｄ／ｆ＜０．３８    ・・・・（１）
ただし、ｄは前記光軸と、前記励起光および前記可視光の光束中心との距離、ｆは集光レンズ群の焦点距離である。
【請求項７】
前記集光レンズ群に入射する前記励起光および前記可視光は略平行光であって、それぞれの光束中心の光線は互いに平行に前記集光レンズ群に入射されることを特徴とする請求項１ないし６のいずれかに記載の光源装置。
【請求項８】
前記励起光および前記可視光は、交互に前記集光レンズ群に入射されることを特徴とする請求項１ないし７のいずれかに記載の光源装置。
【請求項９】
前記可視光の光路上に配設され、周期的に前記可視光を遮断することにより、前記可視光を、周期的に前記集光レンズ群に入射させる遮光手段を有することを特徴とする請求項８に記載の光源装置。
【請求項１０】
前記可視光および前記励起光の少なくともいずれか一方の光は、反射ミラーによって反射させられた後、前記集光レンズ群に入射されることを特徴とする請求項１ないし９のいずれかに記載の光源装置。
【請求項１１】
前記集光レンズ群に入射する前記可視光および励起光の光束の径は略同一であることを特徴とする請求項１ないし１０のいずれかに記載の光源装置。
【請求項１２】
前記励起光光源は、励起光以外の光も出射する光源であり、前記励起光光源から出射した光は、前記励起光以外の光がフィルタによってカットされた後、前記集光レンズ群に入射されることを特徴とする請求項１ないし１１のいずれかに記載の光源装置。
【請求項１３】
前記可視光光源は、可視光以外の光も出射する光源であり、前記可視光光源から出射した光は、前記可視光以外の光がフィルタによってカットされた後、前記集光レンズ群に入射されることを特徴とする請求項１ないし１２のいずれかに記載の光源装置。
【発明の詳細な説明】
【技術分野】
【０００１】
本発明は、２つの光源から発せられる光を、照明光学系に入射させるための光源装置であって、例えば内視鏡の光源装置に関する。
【背景技術】
【０００２】
従来、生体内の自家蛍光を利用することにより、生体内に生じた異常を検出する自家蛍光観察内視鏡システムが知られている。このシステムでは、励起光が生体内組織に照射されると、生体内組織において自家蛍光が励起され、その自家蛍光の違いにより生体内組織の異常が発見される。
【０００３】
この内視鏡システムにおいて、生体内の自家蛍光を観察するとともに通常の反射光画像を観察しようとする場合、あるいは自家蛍光画像と通常の反射光画像の２つの画像を用いて演算処理する場合には、励起光と通常の光（可視光）を生体内に照射する。したがって、このシステムの光源装置は、白色光を発する白色光源と、自家蛍光を励起するための励起光を発する励起光光源を備え、これら２つの光源によって発せられた白色光と、励起光は同一のライトガイドを介して繰り返し交互に生体内に照射される。
【０００４】
したがって従来、特許文献１、および特許文献２に記載されるように、２つの光源から発した光の光路を一致させることにより、光を同一のライトガイドに入射させることが知られている。これら特許文献においては、白色光の光路と、励起光の光路が交差する位置にダイクロイックミラーまたはプリズムが配置され、このダイクロイックミラー等で励起光が反射させられるとともに白色光が透過させられることにより、２つの光の光路が一致させられている。
【特許文献１】特開２００３−６１９０９号公報
【特許文献２】特開２００２−６５６０２号公報
【発明の開示】
【発明が解決しようとする課題】
【０００５】
特許文献１および２に記載のダイクロイックミラー等は、波長に応じて光を反射・透過させるので、例えば特定の波長以上の光（白色光）を透過させるとともに、特定の波長以下の光を反射させることにより、２つの光の光路を一致させている。
【０００６】
しかし、例えば励起光が可視光を含む光である場合、励起光の全てをダイクロイックミラーで反射させようとすると、白色光に含まれる励起光近傍の波長の可視光は、ダイクロイックミラーで反射させられ、被写体に照射させられないので、白色光を照射したときにおける観察画像の色再現性は悪化する。
【０００７】
そこで本発明は、このような問題点に鑑みてなされたものであり、２つの光源から発せられる光を、適正に観察画像に照射することができる光源装置を提供することを目的とする。
【課題を解決するための手段】
【０００８】
本発明に係る光源装置は、自家蛍光を励起させるための励起光を出射する励起光光源と、可視光を出射する可視光光源と、励起光および可視光それぞれの光束中心が、異なる場所に入射される集光レンズ群と、集光レンズ群によって励起光および可視光が入射されるライトガイドとを備え、集光レンズ群は、励起光と可視光とをライトガイドの同一位置に集光させることを特徴とする。
【０００９】
励起光と可視光のそれぞれの光束中心は、集光レンズ群の光軸から等距離だけ離れた位置に入射されることが好ましい。励起光と可視光は、それぞれの光路が、レンズの光軸と重なり合わずかつ互いにも重ならないように、集光レンズ群に入射されることが好ましい。
【００１０】
集光レンズ群は、励起光および可視光をライトガイドの端面に集光させることが好ましい。また、集光レンズ群とライトガイドの間に配設される筒状反射体を備える場合、集光レンズ群は、励起光および可視光を筒状反射体の端面に集光させ、筒状反射体を介してライトガイドに入射させることが好ましい。
【００１１】
本発明に係る光源装置は、励起光と前記可視光のそれぞれの光束中心が集光レンズ群の光軸から等距離だけ離れた位置に入射される場合、以下の条件式（１）を満たすことが好ましい。
０．１８＜ｄ／ｆ＜０．３８    ・・・・（１）
ただし、ｄは光軸と、励起光および可視光の光束中心との距離、ｆは集光レンズ群の焦点距離である。これにより、可視光光源および励起光光源から発した光をより効率よく、照明光として利用することができる。
【００１２】
集光レンズ群に入射する励起光および可視光は略平行光であって、それぞれの光束中心の光線は互いに平行に集光レンズ群に入射される好ましい。
【００１３】
本発明に係る光源装置は、好ましくは可視光の光路上に配設され、周期的に可視光を遮断することにより、可視光を、周期的に集光レンズ群に入射させる遮光手段を有し、この遮光手段としては例えば回転ホイールが用いられる。
【００１４】
可視光および励起光の少なくともいずれか一方の光は、反射ミラーによって反射させられた後、集光レンズ群に入射されることが好ましい。これにより、可視光光源および励起光光源が、互いに異なる方向に向けて、可視光および励起光を発する場合でも、可視光および励起光を容易に集光レンズ群に入射させることができる。
【００１５】
可視光および励起光の光束の径は略同一であることが好ましい。これにより、ライトガイドから出射される可視光および励起光の配光特性が一致しやすくなる。
【００１６】
励起光光源は、励起光以外の光も出射する光源である場合、励起光光源から出射した光は、励起光以外の光がフィルタによってカットされた後、集光レンズ群に入射されることが好ましい。
【００１７】
可視光光源は、可視光以外の光も出射する光源である場合、可視光光源から出射した光は、可視光以外の光がフィルタによってカットされた後、集光レンズ群に入射されることが好ましい。
【発明の効果】
【００１８】
本発明においては、可視光および励起光が、特定の波長領域の光を損なわれずに、観察対象物に照射されるので、観察画像を、色再現性を損なうことなく観察することができる。
【発明を実施するための最良の形態】
【００１９】
以下本発明に係る第１の実施形態を図面を参照して説明する。図１は、第１の実施形態に係る内視鏡システムを模式的に示した図である。本実施形態における内視鏡システムは、電子内視鏡１０と、プロセッサ（光源装置）２０と、ＴＶモニタ２２を備える。電子内視鏡１０は、体腔内に挿入するための挿入部１１と、使用者が把持し電子内視鏡１０を操作するための操作部１２と、プロセッサ２０に接続されるための接続部１３とを有する。
【００２０】
電子内視鏡１０には、光ファイバ束から成るライトガイド１６が設けられる。ライトガイド１６は、接続部１３から操作部１２を通って挿入部１１の先端部１１ａまで挿通する。接続部１３はプロセッサ２０に接続され、これによりライトガイド１６の端部は、プロセッサ２０内に配設される。プロセッサ２０内には、白色光光源３１と、励起光光源４１（図２参照）が設けられ、白色光光源３１と励起光光源４１から出射される光は、ライトガイド１６にその端面から入射される。入射された光は、ライトガイド１６の他方の端面から、配光レンズ１８を介して、例えば体腔内の観察対象物に出射される。
【００２１】
ライトガイド１６に入射される照明光は、白色光（可視光）および励起光であって、白色光と励起光は１フィールド毎に交互に観察対象物に照射される。ここで、観察対象物に白色光が照射されると、観察対象物で白色光が反射し、その反射光が撮像素子（図示せず）に入射される。撮像素子では、その入射された反射光に対応した画像が形成され、画像に対応する画像信号がプロセッサ２０に入力される。画像信号は、プロセッサ２０において所定の画像処理が施された後、ＴＶモニタ２２に通常観察画像として出力される。
【００２２】
一方、観察対象物に励起光が照射されると、観察対象物では自家蛍光が励起され、その自家蛍光が撮像素子に入射される。撮像素子では、その入射された自家蛍光に対応した画像が形成され、その画像に対応する画像信号がプロセッサ２０に入力される。画像信号は、プロセッサ２０において所定の画像処理が施された後、ＴＶモニタ２２に自家蛍光観察画像として出力される。
【００２３】
図２は、第１の実施形態のプロセッサ２０の内部を模式的に示す構成図である。プロサッサ２０は、白色光光源３１と、励起光光源４１を備え、これら光源から発せられた光は、集光レンズ（集光レンズ群）５０およびガラスロッド（筒状反射体）５１を介して、ライトガイド１６に入射される。集光レンズ５０は、光源からの光が入射される第１面が非球面の非球面レンズである。集光レンズ５０と、ガラスロッド５１と、ライトガイド１６は、同一の光軸Ｘ上に配設される。
【００２４】
白色光光源３１では、ショートアークランプ３４から赤外線や可視光等を含む光が発せられ、その光が放物面鏡３５で反射されることより、図中左から右に向けて平行光が出射される。平行光の光路上には、白色光光源３１側から、ＩＲカットフィルタ３６と、アフォーカル光学系３７と、回転ホイール３８が配設される。
【００２５】
白色光光源３１から出射した平行光は、ＩＲカットフィルタ３６で赤外光がカットされ、可視光領域の光を大量に含む白色光Ｌ１としてアフォーカル光学系３７に入射される。白色光（平行光）Ｌ１はアフォーカル光学系３７で、光束の幅が小さくされて回転ホイール３８に入射される。回転ホイール３８は、開口部と遮光部とを有し、中心軸３９の周りを回転することにより、入射された光の１フィールド分を透過させた後、次の１フィールド分を遮断する。回転ホイール３８を透過した白色光（平行光）Ｌ１は、その光束（光路）中心の光線が光軸Ｘに対して平行となるように、集光レンズ５０に入射する。
【００２６】
励起光光源４１は、１または２以上のレーザーダイオードの出力を光ファイバ束で伝達することにより、その出射端から拡散光である励起光を、図中上から下に向けて出射する。励起光光源４１から出射された励起光は、コリメートレンズ４２で平行光Ｌ２にされた後、反射ミラー４３で反射される。反射ミラー４３で反射された平行光（励起光）Ｌ２は、その光束（光路）中心の光線が光軸Ｘに対して平行であり、かつ白色光Ｌ１の光束中心に対しても平行となるように集光レンズ５０に入射する。
【００２７】
励起光光源４１は、１フィールド毎にＯＮ／ＯＦＦされる。すなわち、集光レンズ５０に白色光Ｌ１が入射されている間は、励起光光源４１から励起光は出射されず、励起光Ｌ２は集光レンズ５０に入射されない。一方、白色光Ｌ１が回転ホイール３８によって遮断され、集光レンズ５０に入射されない間は、励起光光源４１から励起光が出射され、励起光Ｌ２は集光レンズ５０に入射される。これにより、ライトガイド１６には、白色光と励起光が１フィール毎に交互に入射され、上述したように、白色光と励起光は１フィールド毎に交互に観察対象物に照射される。
【００２８】
白色光Ｌ１と励起光Ｌ２は、それぞれの光路が光軸Ｘを挟んで平行となるように、集光レンズ５０に入射される。すなわち、白色光Ｌ１と励起光Ｌ２は、それぞれの光路が光軸Ｘと重なり合わずかつ互いにも重ならないように、集光レンズ５０に入射される。集光レンズ５０に入射されるときの励起光Ｌ２の光束（光路）の幅ｌ2は、集光レンズ５０に入射されるときの白色光Ｌ１の光束（光路）の幅ｌ1と略同一であり、幅ｌ1、ｌ2は、それぞれ集光レンズ５０の半径より小さく、白色光Ｌ１および励起光Ｌ２の全てが、集光レンズ５０に入射される。そして、白色光Ｌ１と励起光Ｌ２の光束中心の光線は、集光レンズ５０の光軸Ｘから同一の距離ｄ離れている。
【００２９】
集光レンズ５０の図中右側には先述したようにガラスロッド５１と、ガラスロッド５１の出射端に一方の端部が接続されたライトガイド１６が配設される。集光レンズ５０に入射された白色光Ｌ１および励起光Ｌ２は、それぞれ光軸Ｘに対して平行な平行光であるため、それぞれ同一の集光点Ｙに集光される。集光点Ｙには、ガラスロッド５１の入射端面が配設される。
【００３０】
ガラスロッド５１は、コアとクラッドを有し、集光レンズ５０によって集光された白色光Ｌ１および励起光Ｌ２は、ガラスロッド５１のコア内を伝播し、ライトガイド１６に送られる。ライトガイド１６に送られた白色光Ｌ１および励起光Ｌ２は、ライトガイド１６内を伝播し、物体に向けて出射される。なお、ガラスロッド５１の開口数（ＮＡ）は、ライトガイド１６と同じであるとともに、ガラスロッド５１の直径は、ライトガイド１６の直径とほぼ同じである。
【００３１】
ここで、白色光Ｌ１および励起光Ｌ２は、集光レンズ５０の中央付近であるＸ軸近傍には入射されない。したがって、ライトガイド１６から出射される光は、集光レンズ５０の全面に光が入射されるときと比べると、中央近傍の光の強度が周辺の光の強度に比べ弱くなる。
【００３２】
しかし、集光レンズ５０に入射される白色光Ｌ１の光束中心の光線と、励起光Ｌ２の光束中心の光線は、光軸Ｘから等距離に位置する。また、集光レンズ５０に入射される白色光Ｌ１の光束の幅と、励起光Ｌ２の光束の幅は略同一である。すなわち、白色光Ｌ１と励起光Ｌ２は、ガラスロッド５１にＸ軸に関して対称的に入射されるので、白色光Ｌ１と励起光Ｌ２が、ライトガイド１６から観察対象物に同様の配光分布で照射される。
【００３３】
また、白色光Ｌ１および励起光Ｌ２は、集光レンズ５０において入射される位置が異なる。したがって、集光点Ｙ通過後において、当初同一の光路を通らない。しかし、白色光Ｌ１および励起光Ｌ２は、ガラスロッド５１で徐々に拡散される。さらに、通常ライトガイド１６の長さは径に対して非常に長いので、ライトガイド１６を伝播する間にも、白色光Ｌ１および励起光Ｌ２は徐々に拡散される。白色光Ｌ１と励起光Ｌ２はこれら拡散により、ライトガイド１６から出射するときには、その照射範囲は重複するようになる。
【００３４】
以上により、白色光Ｌ１と励起光Ｌ２は、同一の配光分布で、かつ同一の照射範囲で物体に照射される。このような白色光と励起光によって、通常観察画像と自家蛍光観察画像がそれぞれ得られると、これら画像の対比が正確になり、自家蛍光観察画像をより正確に観察することができる。
【００３５】
また、本実施形態においては、白色光Ｌ１は、その光路が、励起光Ｌ２の光路と重ならないように集光レンズ５０に入射されるので、白色光Ｌ１は、励起光Ｌ２を集光レンズ５０に入射させるための光学部材（例えば反射ミラー４３）、に干渉されることなく集光レンズ５０に入射可能である。また、励起光Ｌ２も同様である。
【００３６】
なお、ガラスロッド５１およびライトガイド１６への白色光および励起光の入射効率を向上させるためには、以下の条件式（１）が満足されることが好ましい。
０．１８＜ｄ／ｆ＜０．３８    ・・・・（１）
ただし、ｄは、集光レンズ群（集光レンズ５０）に入射される白色光Ｌ１および励起光Ｌ２の光束中心の光線と光軸Ｘとの距離、ｆは集光レンズ群（集光レンズ５０）の焦点距離である。
【００３７】
条件式（１）中のｄ／ｆが、下限を下回ると、集光レンズ５０の焦点距離が長くなるためガラスロッド５１の入射端面に集光されるスポットが大きくなるので、白色光Ｌ１および励起光Ｌ２の利用効率が低下する。また、条件式（１）中のｄ／ｆが、上限を上回ると、白色光Ｌ１および励起光Ｌ２がガラスロッド５１およびライトガイド１６に大きな入射角で入射されるので、ガラスロッド５１およびライトガイド１６のコアとクラッドの境界で反射されない光が多くなり、利用効率が低下する。
【００３８】
図３は、第２の実施形態のプロセッサ２０の内部を模式的に示す構成図である。第２の実施形態において、第１の実施形態と異なる点は、主に白色光および励起光を出射する光源および集光レンズ群である。また、第２の実施形態においては、ガラスロッドが設けられない。以下第２の実施形態について、第１の実施形態との相違点を中心に図３を用いて説明する。
【００３９】
第２の実施形態においては、第１および第２のショートアークランプ６４、７４が設けられる。第１のショートアークランプ６４は、広範囲の波長域の光、すなわち赤外光、可視光等を含む光を発する。第１のショートアークランプ６４から発した光は、楕円鏡６５で反射されることにより集光光として、ＩＲカットフィルタ３６に入射される。ＩＲカットフィルタ３６では、赤外光がカットされ、ＩＲカットフィルタ３６を透過した光は、可視領域の光を大量に含む白色光として正レンズ系６７に入射される。正レンズ系６７に入射された白色光は、正レンズ系６７で平行光Ｌ１にされ、平行光Ｌ１は、第１の回転ホイール３８によって第１の実施形態と同様に周期的に集光レンズ群８０に入射される。
【００４０】
第２のショートアークランプ７４は、励起光と励起光以外の光（例えば赤外線）を含む光を発する。第２のショートアークランプ７４から発した光は、楕円鏡７５で反射されることにより集光光として、励起光透過フィルタ７６に入射される。励起光透過フィルタ７６では、励起光のみが透過されるので、励起光透過フィルタ７６を透過した光は、励起光として正レンズ系７７に入射される。励起光は、正レンズ系７７で平行光Ｌ２にされ、平行光Ｌ２は、第２の回転ホイール７８に入射される。第２の回転ホイール７８は、第１の回転ホイール３８と同様に、中心軸７９の周りを回転し、開口部と遮光部とが交互に光束を横切ることにより、周期的に励起光が集光レンズ群８０に入射される。なお、第１および第２の回転ホイール３８、７８は、集光レンズ群８０に交互に白色光と励起光が入射されるように、例えば１フィールド毎に交互に光束を遮蔽するように制御される。
【００４１】
第２の実施形態においても、第１の実施形態と同様に、白色光Ｌ１および励起光Ｌ２は、それぞれの光路が集光レンズ群８０の光軸Ｘと重ならないように集光レンズ群８０に入射され、互いの光路も重ならないように集光レンズ群８０に入射される。ここで、集光レンズ群８０は、第１の実施形態と異なり、凸レンズ８１、平凹レンズ８２、および平凸レンズ８３の３枚の球面レンズから成る。しかし、白色光Ｌ１および励起光Ｌ２は、同一の集光点Ｙで集光され、その集光点Ｙはライトガイド１６の入射端面に一致する。集光された白色光Ｌ１および励起光Ｌ２は、ライトガイド１６を介して、物体側に照射される。
【００４２】
第２の実施形態においても、集光レンズ群８０に入射される白色光Ｌ１の光束中心の光線と、励起光Ｌ２の光束中心の光線は、光軸Ｘから等距離に位置し、かつ集光レンズ群８０に入射される白色光Ｌ１の光束の幅と、励起光Ｌ２の光束の幅は略同一である。したがって、ライトガイド１６には同一の角度で白色光Ｌ１と励起光Ｌ２が入射され、ライトガイド１６から照射される白色光と励起光は、配光分布が略同一になり、その配光特性も略同一になる。なお、第２の実施形態においてはガラスロッドが省略されるが、第２の実施形態の励起光は、第１の実施形態と異なり、ショートアークランプから供給されるので、ガラスロッドがなくとも、物体側に照射される白色光と励起光は、配光分布が略同一になり、その配光特性も略同一になる。
【００４３】
第１および第２の実施形態において、集光レンズ群の焦点距離ｆと、光軸Ｘと白色光（および励起光）の光束中心との距離ｄは例えば表１のように設定される。ここで、実施例１および実施例２は、集光レンズ群が第１の実施形態のように単一の非球面レンズによって構成される場合の実施例である。一方、実施例３は、集光レンズ群が第２の実施形態のように３枚のレンズによって構成された場合の実施例である。
【００４４】
【表１】
2006043248.tif 000003
以上の実施例１、２、および３においては、ｄ／ｆがそれぞれ０．３７、０．２８、および０．２１であり、上述した条件式（１）を満足した。
【００４５】
なお、第１および第２の実施形態においては、集光レンズ５０、並びに集光レンズ群８０を構成する凸レンズ８１、平凹レンズ８２、および平凸レンズ８３は、それぞれ円形に形成されているが、白色光Ｌ１および励起光Ｌ２の光束が通過する部分以外は、取り除かれていても良い。このように不要部分を取り除くことにより、集光レンズ群の巨大化を防止することができる。
【００４６】
なお、第１および第２の実施形態において、白色光Ｌ１と励起光Ｌ２は、それぞれの光路が、光軸Ｘを挟んで平行となるように、集光レンズ群に入射されるが、白色光Ｌ１および励起光Ｌ２の光路の中心と光軸Ｘとの距離が、同一であるならば、他の位置において集光レンズ群に入射されても良い。なお、この場合においても、白色光Ｌ１と励起光Ｌ２は、互いの光路が重ならないように、集光レンズ群に入射される。
【図面の簡単な説明】
【００４７】
【図１】電子内視鏡システムを示した模式図である。
【図２】第１の実施形態の光源装置を模式的に示した構成図である。
【図３】第２の実施形態の光源装置を模式的に示した構成図である。
【符号の説明】
【００４８】
１０  電子内視鏡
１６  ライトガイド
２０  プロセッサ（光源装置）
３１  白色光光源
４１  励起光光源
４３  反射ミラー
５０  集光レンズ
５１  ガラスロッド（筒状反射体）
６４  第１のショートアークランプ
７４  第２のショートアークランプ
８０  集光レンズ群
Ｌ１  白色光（可視光）
Ｌ２  励起光
Ｘ  光軸
【図１】
2006043248.tif 000004
【図２】
2006043248.tif 000005
【図３】
2006043248.tif 000006